(57)【要約】ネットワーク又はこのネットワークのサブネットワークのトポロジーの自動検出用システムを有する通信ネットワークが、複数のネットワーク要素の要素のポート内に終端ポイントを有する通信トレールを確立するために互いにリンクされた複数のネットワーク要素又はノードからなる。各終端ポイントにはネットワーク又はサブネットワーク内でユニークなアドレスが割り当てられており、対応するネットワーク要素は、割り当てられたユニークなアドレスを表すメッセージを終端ポイントから出力トレールに放射し、メッセージはトレールの他方の端部の終端ポイントに向けられる。通信トレールの何れかの端部の各ネットワーク要素は、従って、他方の端部の要素の終端ポイントのアドレスを表すメッセージを受信する。この様にして、接続の各終端ポイントは、接続されている他方の終端ポイントを識別する情報をメッセージ内で受信する。ネットワークのトポロジーを自動検出するための方法も記述される。
2005507575.tif 000002
【特許請求の範囲】
【請求項１】
ネットワーク又はこのネットワークのサブネットワークのトポロジーの自動検出用システムを有する通信ネットワークであり、複数のネットワーク要素の要素のポート内に終端ポイントを有する通信トレールを確立するために互いにリンクされた複数のネットワーク要素又はノードからなり、各終端ポイントにはネットワーク又はサブネットワーク内でユニークなアドレスが割り当てられており、対応するネットワーク要素は、割り当てられたユニークなアドレスを表すメッセージを終端ポイントから出力トレールに放射し、メッセージはトレールの他方の端部の終端ポイントに向けられ、通信トレールの何れかの端部の各ネットワーク要素は、従って、他方の端部の要素の終端ポイントのアドレスを表すメッセージを受信し、接続の各終端ポイントは、接続されている他方の終端ポイントを識別する情報をメッセージ内で受信する様にする遠隔通信ネットワーク。
【請求項２】
前記メッセージが、ネットワークの通信標準のトレース識別子内に含まれる請求項１記載のネットワーク。
【請求項３】
アドレスが、ネットワーク又はサブネットワーク内のノード又はネットワーク要素のユニーク識別子（ノード_ｉｄ）、及び、ノード又はネットワーク要素の終端ポイントの相対識別子（ＴＴＰ_ｉｄ）によって形成される請求項１記載のネットワーク。
【請求項４】
終端ポイントの相対識別子が、ネットワーク要素のシェルフ、スロット、及びポートを識別する情報の３つの項目から成る請求項３記載のネットワーク。
【請求項５】
ノード又はネットワーク要素のユニークな識別子がノードのＩＰアドレスである請求項３記載のネットワーク。
【請求項６】
ネットワークがＳＤＨ又はＤＷＤＭ形態を有する請求項１記載のネットワーク。
【請求項７】
ネットワークの物理的トポロジーの自動検出に対して、メッセージがＲＳ層のＪ０バイトに含まれる請求項６記載のネットワーク。
【請求項８】
ネットワークの論理的隣接のトポロジーの自動検出に対して、メッセージは、ＡＵ４ＶＣ４層のＪ１バイトに含まれる請求項６記載のネットワーク。
【請求項９】
ＰＤＨネットワークで実施されるトレールのトポロジーの自動検出に対して、メッセージが、ＴＵ３ＶＣ３、ＴＵ２ＶＣ２、ＴＵ１２ＶＣ１２層のＪ２バイトに含まれる請求項６記載のネットワーク。
【請求項１０】
ＤＷＤＭネットワークのトポロジーの自動検出に対して、メッセージはＯＴＳ層の第２トレールバイトに含まれる請求項６記載のネットワーク。
【請求項１１】
ＳＤＨクライアントネットワークのトポロジーの自動検出に対して、メッセージはＯＣＨ層のトレースバイトに含まれる請求項６記載のネットワーク。
【請求項１２】
ＯＣＨ層内で、ＴＴＰ層識別子は、・ソース及び・シンク源のチャンネルの２つの周波数でのＴＴＰ情報の物理座標に加えることにより、ＴＴＰ識別子は生成される請求項１１記載のネットワーク。
【請求項１３】
ネットワーク又はこのネットワークのサブネットワークのトポロジーの自動検出方法であり、前記ネットワーク又はこのネットワークのサブネットワークは、複数のネットワーク要素の要素のポーツ内に終端ポイントを有する通信トレールを確立するために互いにリンクされた複数のネットワーク要素又はノードからなり、各終端ポイントにネットワーク又はサブネットワーク内でユニークなアドレスを割り当てる段階、及び対応するネットワーク要素に、割り当てられたユニークなアドレスを表すメッセージを終端ポイントから出力トレールに放射し、トレールの他方の端部の終端ポイントに向けられる様に命令する段階から成り、通信トレールの何れかの端部の各ネットワーク要素は、他方の端部の要素の終端ポイントのアドレスを表すメッセージを受信し、終端ポイントで受信されたメッセージから、接続されている他方の終端ポイントを識別する情報を引き出す様にする方法。
【発明の詳細な説明】
【技術分野】
【０００１】
本発明は、ネットワークトポロジーの自動検出を備える遠隔通信ネットワークに関する。特に、ネットワークは、例えば、ＳＤＨ又はＤＷＤＭ形態を有することができる。本発明は、この検出を達成するための方法にも関する。
【背景技術】
【０００２】
一般的に、遠隔通信ネットワークはノート及びリンクから成るメッシュ状にモデル化することができる。ノードはネットワークの光学要素であり、以後ポートと呼ばれる物理的インタフェースを含む。２つのノードに係る２つの適合するポート間のリンクは、パッシブな物理接続を（ファイバ）を使用して設定され、「物理パス」と呼ばれている。
【０００３】
この形態のメッシュは、それを構成するネットワーク要素によってサポートされる全ての層内に存在する。メッシュの形態は、各層で、リンク（又は通信トレール）が異なる重要性を有しているので層毎に異なることができる。従って、例えば、物理層で、メッシュは、ネットワークの物理的トポロジーを示すが、ＳＤＨシテスムの他の層では、リンクはノード間の論理的隣接を表す。２つのノードは、サーバトレールがそれを接続する場合及びその場合のみに、隣接する。
【０００４】
より一般的に、標準技術による概念に従うと、ネットワーク要素は、トレール終端ポイント（ＴＴＰ）を含み、２つのＴＴＰは、トレールによって接続される。
【０００５】
公知の技術において、ネットワーク自体の物理的生成に続いて、ネットワークトポロジー上にあり且つＴＴＰによって交換される幾つかの情報がマニュアルで設定され、特定の接続と関連するニーモニックストリングがノード内に記憶される。これらのストリングは、「トレース識別子」と呼ばれ、例えば、装置の設定を行うオペレータによって与えられる習慣的な名前によって形成され、この結果、オペレータは、接続の他方の端部を設定する時にポートを識別することができる。換言すると、これらのトレース識別子は、幾つかのユニークなトレール識別子を搬送することのみに使用されて、ネットワーク内の接続エラーを検出する目的のために使用される。接続エラーは、初めに、マニュアルモード（オペレータが接続の他方のヘッドを設定する時）で、次いで自動的にでの両方で検出される。実際には、受信装置がＴＴＰ上で、オペレータによる接続に対して特定されたストリングを受信しない場合に、アラームが作動される。
【０００６】
例えば、ＳＤＨ及びＤＷＤＭ技術の両方に対して、ある数のトレース識別子が定義される。これらは、ＴＴＰ間で交換され、固定数のバイトを含む。これらのトレース識別子の処理のコンテクスト内で、ある数の標準的振舞が、ネットワーク要素内で実行される。
【０００７】
現在まで、これらのトレース識別子は遠隔通信管理ネットワーク（ＴＭＮ）システムによって処理されていた。このために、２つの可能な振舞のみが標準で識別される。
【０００８】
第１のものは、トレース識別子を処理するためには、提供されていなく、固定値を有する固定バイトが終端ポイント間で送られることを意味している。関連する振舞は重要ではなく、バイトが単純に送られ、且つ受信される。
【０００９】
第２の場合において、各終端ポイントは、バイトの特定のストリング、原則として、１６バイトを送る。ＴＭＮシステムはこのストリングを送る（オペレータによって開始されることにより達成される。）。ＴＭＮは、予期されたトレース識別子として使用されるべきバイトのストリングも設定できる。ＴＭＮシステムは、受信されたトレース識別子を読むことができる。ＴＮＭが予期されたトレース識別子を設定する場合に、アラームが作動し、受信されたトレース識別子は、予期されたものとは異なることをネットワーク要素が認識する。
【００１０】
この様な処理方法がどの様にして情報をトレール上で得ることを可能にするかが、そしてその位置はこのトレールの端にある純粋な方法では識別されない実際の終端ポイントではないことが理解される。
この発明の一般的な目的は、トポロジーの自動検出を備える遠隔通信用方法及びネットワークを提供することにより、上述した欠点を避けることにある。
【発明の開示】
【課題を解決するための手段】
【００１１】
この目的鋭意研究した結果、本発明に従った、ネットワーク又はこのネットワークのサブネットワークのトポロジーの自動検出用システムを有する通信ネットワークであり、複数のネットワーク要素の要素のポート内に終端ポイントを有する通信トレールを確立するために互いにリンクされた複数のネットワーク要素又はノードからなり、各終端ポイントにはネットワーク又はサブネットワーク内でユニークなアドレスが割り当てられており、対応するネットワーク要素は、割り当てられたユニークなアドレスを表すメッセージを終端ポイントから出力トレールに放射し、そのメッセージはトレールの他方の端部の終端ポイントに向けられ、通信トレールの２つの端部の一方にある各ネットワーク要素は、従って、他方の端部の要素の終端ポイントのアドレスを表すメッセージを受信し、接続の各終端ポイントは、接続されている他方の終端ポイントを識別する情報をメッセージ内で受信する様にする遠隔通信ネットワークが生成された。
【００１２】
本発明の先進的原理及び従来技術に対する利点を明瞭に明瞭な説明を与えるために、以下の説明では、この原理を適用する可能な設計が記述される。このために図面が同様に添付される。
以下、ノード又はこれらのノードを作り出すネットワーク要素の何れかが対象とされる。要素又はノード内に、通信トレールの終端に終端ポイントを構成するポートがある。これらの全てが、当業者によく知られており、ここでは更に記述又は図示されることはない。
【発明を実施するための最良の形態】
【００１３】
図１は、ＤＷＤＭネットワーク要素、ラインシステムを構成するＳＤＨネットワーク要素、ＳＤＨネットワーク要素を図示する、可能なネットワークトポロジーのメッシュを示す。要素の全てが各接続を有している。
ネットワークトポロジーの自動検出を行うために、各ＴＴＰは、トレールの他方の端部の相手側の情報を有する必要がある。この情報を得るために、他方のノードが対応することを識別することを可能にする通信チャンネルが存在することが必要である。
ネットワーク自体（または、そのサブネットワークも同様）のトポロジーの自動検出用システムを有する通信ネットワークは、上述した様に、複数のネットワーク要素の要素のポート内の終端ポイントを有する通信トレールを確立するために互いにリンクされた複数のネットワーク要素又はノードから成る。
【００１４】
各終端ポイントは、ネットワーク又はサブネットワーク内でユニークなアドレスが割り当てられる。対応するネットワーク要素は、割り当てられたユニークなアドレスを表すメッイセージを終端ポイントから出力トレールに放射し、それは、トレールの他方の端部の終端ポイントに向けられる。
通信トレールの何れかの端部にある各ネットワーク要素は、他方の端部の要素の終端ポイントのアドレスを表すメッセージを受信する。この方法で、接続の各終端ポイントは、接続される他方の終端ポイントを識別する情報をメッセージで受信する。
【００１５】
このことは、交換されるメッセージを、その底部に示す図２に図示されている。図示された例においては、以下の記述から明らかな様に、交換されるメッセージは、ネットワーク要素（ＮＥ１又はＮＥ２）の識別子及び要素内の終端ポイント（ＴＴＰ１又はＴＴＰ２）の識別子から成る。
もちろん、アドレスメッセージの交換が起こる通信チャンネルを識別する必要がある。
ＳＤＨ及びＤＷＤＭ形態のネットワークを使用することによって、同じトレース識別子が、従来技術と関連して既に記述された様に、標準のものに対して新たな振舞いを加えたり、引いたりして使用できる。
【００１６】
上述した様に、信号チャンネルは、従って、これらのトレース識別子を使用して、生成することができる。
より詳細には、新たな振舞いが、ネットワーク要素によって実行されるべきである。この新たな振舞いは、バイト形式で送られるべきトレールのソースＴＴＰのユニークな識別に必要な情報を含むコード化ストリングのトレース識別子を要求する。これは、トレールの両端のポイントで実施される場合、各終端ポイントは、他方の終端ポイントの情報をトレース識別子中に受信する結果がもたらされる。この結果、各ノードは、他方のノードが各ポートに接続されていることを認識する。
【００１７】
ネットワーク（又はサブネットワークの）レベルで、全てのネットワーク要素は、相手方が自身のポートに接続されていることを知るポジションにある。
終端ポイントの各々によって送られるべき情報は以下の通りである。
−構築又は導入の時にノードに対して送られるノード識別子
これは、例えば、ノードのＩＰアドレスとすることができる。
−ＴＴＰ識別子、これは、ＴＴＰが何処にあるかを知るノードによって自動的に作り出すことができる。物理的ＴＴＰに対する位置に関する可能な有利なシステムは、ＴＴＰをサポートする「シェルフ、スロット、及びポート」とすることができる。ＴＴＰの他方の形態に対しては、他の情報を、付け加えることができる。例えば、ＡＵ４ＶＣ４トレール層内のＴＴＰの場合に付け加えるべき情報としては、ＡＵ４識別子とすることができる。
【００１８】
従って、一般的な方法において、各ＴＴＰは、「ノードｉｄ」−「ＴＴＰｉｄ」ペアリングを送り、且つ上述した図２に示される遠隔ＴＴＰから同じペアリングを受信する。換言すると、ネットワークトポロジーに含まれるリソースを識別するために、ネットワークの各ノードは、ユニークな名前を使用して識別される。トレールの各終端ポイントには、ノードのコテクスト内でユニークな識別子を使用して、名前が付けられている。
【００１９】
ここに記述される技術は、ネットワーク要素のハードウェア又はＴＴＰをサポートするカードに存在するファームウェアに対する修正を要求しない。トレース識別子をコード化及びデコード化するための作業の全てが、専門技術者によって容易に想像できる様に、重大な処理負荷を加えること無しに、「マルチプレクサコントローラ」上で達成することができる。
これを達成するために、マルチプレクサコントローラは、ラインカードに、ラインカードによってノーマルなストリングとして取り扱われるコード化可能形式（「送られる」もの及び要求された場合の「予期された」ものの両方について）で、トレース識別子を送る必要がある。この方法で、ラインカードの振舞いを維持する。
図３は、ユーザがトポロジーの自動検出に切り替わることを決定する時の、イベントのシークエンスを図説する図。
【００２０】
説明されたアルゴリズムを使用して、セクションの両終端ポイントがそれらの相手方を識別する。
この技術が、ネットワーク内の悪い接続を検出する目的のために、どの様に拡張できるかを想像することは、専門技術者にとっては容易である。このことを行うために、自動発見に続いて、ユーザは、受信されたトレース識別子が、予期された一方内でコピーされることを要求できる。このオペレーションに続いて、ネットワークのトポロジーが凍結され、接続内の如何なる後続のエラーも検出される。
記述されたことは、多くの場合に、そして、ＳＤＨ及びＤＷＤＭネットワークを有する場合の様に、複数の層の組によって形成されるネットワークの種々のレベルで、適用することができる。
【００２１】
更に詳細には、その層に従うと、
−ＳＲ層：Ｊ０バイトは、ＳＤＨネットワークの物理ネットワークトポロジーを発見する目的にために使用される。
−ＡＵ４ＶＣ４：Ｊ１バイトは、ＶＣ４トレールから作り出されたネットワークの隣接物を発見する目的のために使用される。
【００２２】
−回路層  ＴＵ３ＶＣ３，ＴＵ２ＶＣ２，ＴＵ１２ＶＣ１２：Ｊ２バイトは、ネットワークで使用されるトレールを発見する目的に対して使用される、「ＰＤＨクライアントネットワーク」に対するトポロジーである。
−ＯＴＳ層：セクションのトレースバイトは、ＤＷＤＭネットワークトポロジーを発見するために使用される。
−ＯＣＨ層：「デジタルラッパー」内に存在するトレースバイトは、この層の中に構築されるセクションを発見する目的のために使用される、ＳＤＨクライアントネットワークに対するトポロジーである。
これらのアプリケーションの各々毎に、ＴＴＰ識別子は、特定の場合に重要な情報を使用して、生成することができる。
【００２３】
従って、物理送信層（ＲＳ，ＯＴＳ）でのアプリケーションに対して、ＴＴＰ識別子は、ポートの物理的座標に基づくことができる。これらは、シェルフ、スロット、及びポート識別子とすることができる。
トレール層（ＡＵ４ＶＣ４）内のアプリケーションに対して、ＴＴＰ識別子は、前のセットとチャンネル識別子（ＡＵ４Ｉｄ又は、より良くは、ＡＵＧＩｄ）の結び付けとすることができる。
ＯＣＨ層内のアプリケーションに対して、ＴＴＰ識別子は、物理座標から常に開始し、且つ頻度の固定テーブル内でインデックスとして用いられる原点・ソース及び・シンクのチャンネルの２つの頻度に情報を加えることによって、生成することができる。
上述したアプリケーションに対する本発明に従うトポロジーの自動発見用プロトコルで使用されるべきフォーマットの可能且つ好適な記述が、以下の表で示されている。
【００２４】
ＳＤＨ  ＲＳ、ＴＵ３ＣＶ３、ＴＵ２ＣＶ２、ＴＵ１２ＶＣ１２及びＤＷＤＭ  ＯＴＳプロトコルに対して、トレース識別子と交換される１６バイトが存在するという事実に基づいた、可能なコーディング手法は、次の様にできる。
【表１】
2005507575.tif 000003
【００２５】
ＳＤＨ  ＡＵ４ＣＶ４プロトコル(トレース識別子に対し常に１６バイトを有する)の場合において、コード化法は以下の通りであることが有利である。
【表２】
2005507575.tif 000004
【００２６】
ＤＷＤＭ  ＯＣＨプロトコルの場合(トレース識別子に対し常に１６バイトを有する)の場合において、以下の通りであることが有利である。
【表３】
2005507575.tif 000005
【００２７】
種々のトレース識別子の本発明に従う新たな振舞いを取り扱うために、標準で定義される所謂情報モデルに対して或る修正が必要とされる。上述されたことについて、修正を想像することは専門技術者にとって容易である。ＳＤＨネットワークの場合において、Ｇ７７４からのパストレースのシンタックスは以下の用に修正されるべきである。
【００２８】
2005507575.tif 000006
【００２９】
この点で、どの様に、所定の目的が達成されるかは明瞭である。
上述の技術は、もし、装置ハードウェア又ネットワークで使用されるラインカードのソフトウェアが事前に存在する場合は、それらに修正を加えることなく、本発明の目的を達成することは、注意すべきである。僅かそして極めて局所的な修正のみが、コントローラカードに対して必要となる。換言すると、事前に存在するネットワークは、本発明に従ったネットワーク、又は本発明に従う方法を適用したネットワークに、比較的少ない時間及び費用を必要とする制限された修正で容易に変換することができる。
【００３０】
もちろん、本発明の革新的な原理を適用する設計は、この革新的な原理の例によって与えられる。従って、本願で特許請求される特許権の範囲を制限する様に、解釈されてはならない。
例えば、本方法において、局所コントローラ及びＴＮＭの両方が本利点を使用できるので、修正をネットワーク要素で行うことを提案できる。しかしながら、他の解法を使用することができる。ネットワーク要素のソフトウェアに設けられる必要がある負荷を減少するために、同じ技術をＴＮＭシステムで実行することができる。この場合において、ＴＮＭは、トレース識別子用コード化ストリングを計算し、且つこれをネットワーク要素に設定する。
【００３１】
ＴＮＭと協調してこれらのアルゴリズムを使用し、ネットワークの全エントロピーを、ネットワークから自動的にロードすることができる。このことは、ＴＮＭオペレータが、セクションの生成に時間を費やすことから解放する。
上述したことは、ＳＤＨ及びＤＷＤＭネットワーク要素に変更を加えることなしに使用することができ、これらのネットワーク要素が動作する全ての層（送信媒体層、パス層、回路層）に加えることができる。
【図面の簡単な説明】
【００３２】
【図１】ネットワークを定義するメッシュ。
【図２】各々通信トレール用終端ポイントを有する２つのネットワーク、及びそれらの間でのアドレスメッセージの可能な交換を示す。
【図３】トポロジーの自動検出に切り替わることを決定した時に、イベントの好適なシークエンスを図示するダイアグラムを示す。
【図１】
2005507575.tif 000007
【図２】
2005507575.tif 000008
【図３】
2005507575.tif 000009
【国際公開パンフレット】
2005507575.tif 000010
2005507575.tif 000011
2005507575.tif 000012
2005507575.tif 000013
2005507575.tif 000014
2005507575.tif 000015
2005507575.tif 000016
2005507575.tif 000017
2005507575.tif 000018
2005507575.tif 000019
2005507575.tif 000020
2005507575.tif 000021
2005507575.tif 000022
2005507575.tif 000023
2005507575.tif 000024
2005507575.tif 000025
2005507575.tif 000026
2005507575.tif 000027
2005507575.tif 000028
2005507575.tif 000029
2005507575.tif 000030
【国際公開パンフレット（コレクトバージョン）】
2005507575.tif 000031
【国際調査報告】
2005507575.tif 000032
2005507575.tif 000033